(57)【要約】【課題】画像全体の変化を検出することが可能な差分算出回路を提供する。【解決手段】差分算出回路は、入力された画像信号に基づいた画像情報を記憶する複数のフレームメモリー（第１のフレームメモリー３２ａ、第２のフレームメモリー３３ａ）と、フレームメモリーに記憶された画像情報に基づく画素毎の情報である画素情報について、複数のフレームメモリー間での差分を画素差分値として算出する画素差分算出部３３ｃ１と、画素差分値の平均を画素差分平均値として算出する差分平均算出部３３ｃ２と、画素差分平均値を、画像情報に基づく全ての画素について算出する全画素算出部３３ｃ３と、全ての画素の画素差分平均値についての平均を全画素差分平均値として算出する全画素平均算出部３３ｃ４と、全画素差分平均値と所定の閾値とを比較する比較部３３ｃ６と、比較部３３ｃ６の比較結果に基づいて、所定の通知信号を出力する通知部３３ｆと、を備える。【選択図】図２
2012150262.tif 000002
【特許請求の範囲】
【請求項１】
入力された画像信号に基づいた画像情報を記憶する複数のフレームメモリーと、
前記フレームメモリーに記憶された前記画像情報に基づく画素毎の情報である画素情報について、前記複数のフレームメモリー間での差分を画素差分値として算出する画素差分算出部と、
前記画素差分算出部が算出した前記画素差分値の平均を画素差分平均値として算出する差分平均算出部と、
前記差分平均算出部が算出した前記画素差分平均値を、前記画像情報に基づく全ての画素について算出する全画素算出部と、
前記全画素算出部が算出した全ての画素の前記画素差分平均値についての平均を全画素差分平均値として算出する全画素平均算出部と、
前記全画素平均算出部が算出した前記全画素差分平均値と所定の閾値とを比較する比較部と、
前記比較部の比較結果に基づいて、所定の通知信号を出力する通知部と、
を備えることを特徴とする差分算出回路。
【請求項２】
請求項１に記載の差分算出回路であって、
前記複数のフレームメモリーは、順次入力される画像信号に基づいた画像情報を順次記憶することを特徴とする差分算出回路。
【請求項３】
請求項１または２に記載の差分算出回路であって、
前記全画素平均算出部は、入力された画像信号に基づいた画像情報が所定の数に達した際に、前記全画素差分平均値を算出することを特徴とする差分算出回路。
【請求項４】
請求項３に記載の差分算出回路であって、
前記画素差分算出部が算出した前記画素差分値を加算して加算差分値として記憶する加算値記憶部をさらに有し、
前記差分平均算出部は、前記加算値記憶部に記憶された前記加算差分値を用いて前記画素差分平均値を算出することを特徴とする差分算出回路。
【請求項５】
光源と、前記光源から射出された光を画像信号に応じて画像光に変調する光変調装置と、前記光変調装置で変調された前記画像光を投写する投写光学系と、を有するプロジェクターであって、
入力された前記画像信号に基づいた画像情報を記憶する複数のフレームメモリーと、
前記フレームメモリーに記憶された前記画像情報に基づく画素毎の情報である画素情報について、前記複数のフレームメモリー間での差分を画素差分値として算出する画素差分算出部と、
前記画素差分算出部が算出した前記画素差分値の平均を画素差分平均値として算出する差分平均算出部と、
前記差分平均算出部が算出した前記画素差分平均値を、前記画像情報に基づく全ての画素について算出する全画素算出部と、
前記全画素算出部が算出した全ての画素の前記画素差分平均値についての平均を全画素差分平均値として算出する全画素平均算出部と、
前記全画素平均算出部が算出した前記全画素差分平均値と所定の閾値とを比較する比較部と、
前記比較部の比較結果に基づいて、所定の通知信号を出力する通知部と、
を有する差分算出回路と、
前記差分算出回路から出力された前記所定の通知信号に基づいて、前記光変調装置の焼き付き防止処理を行う制御部と、
を備えることを特徴とするプロジェクター。
【請求項６】
入力された画像信号に基づいた画像情報を記憶する複数のフレームメモリーを有する差分算出回路の制御方法であって、
前記フレームメモリーに記憶された前記画像情報に基づく画素毎の情報である画素情報について、前記複数のフレームメモリー間での差分を画素差分値として算出する画素差分算出ステップと、
前記画素差分算出ステップによって算出された前記画素差分値の平均を画素差分平均値として算出する差分平均算出ステップと、
前記差分平均算出ステップによって算出される前記画素差分平均値を、前記画像情報に基づく全ての画素について算出する全画素算出ステップと、
前記全画素算出ステップによって算出された全ての画素の前記画素差分平均値についての平均を全画素差分平均値として算出する全画素平均算出ステップと、
前記全画素平均算出ステップによって算出された前記全画素差分平均値と所定の閾値とを比較する比較ステップと、
前記比較ステップによる比較結果に基づいて、所定の通知信号を出力する通知ステップと、
を備えることを特徴とする差分算出回路の制御方法。
【発明の詳細な説明】
【技術分野】
【０００１】
本発明は、差分算出回路、プロジェクター、および差分算出回路の制御方法に関する。
【背景技術】
【０００２】
液晶ディスプレイ、液晶プロジェクター、プラズマディスプレイ等の表示装置では、静止画が長時間にわたって表示されると画面の焼き付きを生じる。そこで、画面の一部に設定された監視エリアに対応するデータの差分を算出し、差分が閾値以上の場合を動画、閾値未満の場合を静止画とする静止画／動画判定処理部を備えた画面焼き付き防止装置が開示されている（特許文献１）。
【先行技術文献】
【特許文献】
【０００３】
【特許文献１】特開２００６−２５９２８７号公報
【発明の概要】
【発明が解決しようとする課題】
【０００４】
しかしながら、特許文献１に記載の画面焼き付き防止装置では、特定エリア（監視エリア）の差分検出を行うため、変化領域が特定エリアから外れている場合には、画面の変化を検出できないという問題がある。また、このような画面焼き付き防止処理における差分検出をソフトウェアで行う場合には、処理に時間が掛かるという問題がある。
【課題を解決するための手段】
【０００５】
本発明は、上述の課題の少なくとも一部を解決するためになされたものであり、以下の形態または適用例として実現することが可能である。
【０００６】
［適用例１］本適用例に係る差分算出回路は、入力された画像信号に基づいた画像情報を記憶する複数のフレームメモリーと、前記フレームメモリーに記憶された前記画像情報に基づく画素毎の情報である画素情報について、前記複数のフレームメモリー間での差分を画素差分値として算出する画素差分算出部と、前記画素差分算出部が算出した前記画素差分値の平均を画素差分平均値として算出する差分平均算出部と、前記差分平均算出部が算出した前記画素差分平均値を、前記画像情報に基づく全ての画素について算出する全画素算出部と、前記全画素算出部が算出した全ての画素の前記画素差分平均値についての平均を全画素差分平均値として算出する全画素平均算出部と、前記全画素平均算出部が算出した前記全画素差分平均値と所定の閾値とを比較する比較部と、前記比較部の比較結果に基づいて、所定の通知信号を出力する通知部と、を備えることを特徴とする。
【０００７】
このような差分算出回路によれば、画素差分算出部は、複数のフレームメモリー間の画素差分値を算出する。差分平均算出部は、画素差分平均値を算出する。全画素算出部は、画素差分平均値を全ての画素について算出する。全画素平均算出部は、全ての画素の画素差分平均値についての平均を算出して差分情報値とする。これにより、全ての画素について差分の平均（画素差分平均値）を算出し、さらに画素差分平均値の平均を算出して全画素差分平均値とするため、画像情報全体の変化を検出することができる。
【０００８】
［適用例２］上記適用例に係る差分算出回路において、前記複数のフレームメモリーは、順次入力される画像信号に基づいた画像情報を順次記憶することを特徴とする。
【０００９】
このような差分算出回路によれば、複数のフレームメモリーは、順次入力される画像信号に基づいた画像情報を順次記憶する。これにより、入力される全ての画像情報に基づいて全画素差分平均値を算出するため、全画素差分平均値算出の処理精度が向上する。
【００１０】
［適用例３］上記適用例に係る差分算出回路において、前記全画素平均算出部は、入力された画像信号に基づいた画像情報が所定の数に達した際に、前記全画素差分平均値を算出することを特徴とする。
【００１１】
このような差分算出回路によれば、画像情報が所定の数に達した際に全画素差分平均値を算出する。これにより、全画素差分平均値の算出処理を行う回数が低減されるため、差分算出回路の処理負荷が低減される。
【００１２】
［適用例４］上記適用例に係る差分算出回路において、前記画素差分算出部が算出した前記画素差分値を加算して加算差分値として記憶する加算値記憶部をさらに有し、前記差分平均算出部は、前記加算値記憶部に記憶された前記加算差分値を用いて前記画素差分平均値を算出することを特徴とする。
【００１３】
このような差分算出回路によれば、加算値記憶部をさらに有し、差分平均算出部は、加算差分値を用いて画素差分平均値を算出する。これにより、フレームメモリーのサイズを増大させることなく、複数フレームにわたって画素差分平均値を算出することができる。
【００１４】
［適用例５］本適用例に係るプロジェクターは、光源と、前記光源から射出された光を画像信号に応じて画像光に変調する光変調装置と、前記光変調装置で変調された前記画像光を投写する投写光学系と、を有するプロジェクターであって、入力された前記画像信号に基づいた画像情報を記憶する複数のフレームメモリーと、前記フレームメモリーに記憶された前記画像情報に基づく画素毎の情報である画素情報について、前記複数のフレームメモリー間での差分を画素差分値として算出する画素差分算出部と、前記画素差分算出部が算出した前記画素差分値の平均を画素差分平均値として算出する差分平均算出部と、前記差分平均算出部が算出した前記画素差分平均値を、前記画像情報に基づく全ての画素について算出する全画素算出部と、前記全画素算出部が算出した全ての画素の前記画素差分平均値についての平均を全画素差分平均値として算出する全画素平均算出部と、前記全画素平均算出部が算出した前記全画素差分平均値と所定の閾値とを比較する比較部と、前記比較部の比較結果に基づいて、所定の通知信号を出力する通知部と、を有する差分算出回路と、前記差分算出回路から出力された前記所定の通知信号に基づいて、前記光変調装置の焼き付き防止処理を行う制御部と、を備えることを特徴とする。
【００１５】
このようなプロジェクターによれば、差分算出回路から出力された所定の通知信号に基づいて光変調装置の焼き付き防止処理を行う。つまり、全画素差分平均値と所定の閾値とを比較することによって、入力されている画像信号が静止画か否かを判定することが可能となり、静止画と判定した場合には、光変調装置の焼き付き防止処理を行うことができる。これにより、光変調装置の焼き付きを防止することができる。
【００１６】
［適用例６］本適用例に係る差分算出回路の制御方法は、入力された画像信号に基づいた画像情報を記憶する複数のフレームメモリーを有する差分算出回路の制御方法であって、前記フレームメモリーに記憶された前記画像情報に基づく画素毎の情報である画素情報について、前記複数のフレームメモリー間での差分を画素差分値として算出する画素差分算出ステップと、前記画素差分算出ステップによって算出された前記画素差分値の平均を画素差分平均値として算出する差分平均算出ステップと、前記差分平均算出ステップによって算出される前記画素差分平均値を、前記画像情報に基づく全ての画素について算出する全画素算出ステップと、前記全画素算出ステップによって算出された全ての画素の前記画素差分平均値についての平均を全画素差分平均値として算出する全画素平均算出ステップと、前記全画素平均算出ステップによって算出された前記全画素差分平均値と所定の閾値とを比較する比較ステップと、前記比較ステップによる比較結果に基づいて、所定の通知信号を出力する通知ステップと、を備えることを特徴とする。
【００１７】
このような差分算出回路の制御方法によれば、全ての画素について差分の平均（画素差分平均値）を算出し、さらに画素差分平均値の平均を算出して全画素差分平均値とするため、画像情報全体の変化を検出することができる。
【００１８】
また、上述した差分算出回路およびその制御方法が差分算出回路に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、差分算出回路の内部記憶装置（ＲＡＭ（Random Access Memory）やＲＯＭ（Read Only Memory）等の半導体メモリー）、及び外部記憶装置（ＵＳＢ（Universal Serial Bus）メモリー等）等、前記コンピューターが読み取り可能な種々の媒体を利用することができる。
【図面の簡単な説明】
【００１９】
【図１】実施形態に係るプロジェクターの回路構成を示すブロック図。
【図２】差分情報算出部の回路構成を示すブロック図。
【図３】差分算出処理の概要の説明図。
【図４】差分算出回路が行う差分算出処理を説明するフローチャート。
【発明を実施するための形態】
【００２０】
以下、実施形態について説明する。
【００２１】
本実施形態では、差分算出回路を備え、当該差分算出回路の全画素差分平均値算出結果に基づいて、画面の焼き付き防止処理を行うプロジェクターについて説明する。以降、全画素差分平均値算出の処理を差分算出処理ともいう。
【００２２】
図１は、本実施形態に係るプロジェクターの回路構成を示すブロック図である。
図１に示すように、プロジェクター１は、画像投写部１０、制御部２０、操作受付部２１、光源制御部２２、画像信号入力部３１、画像処理部３２、差分情報算出部３３等を備えて構成されている。
【００２３】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、光源１１から射出された光を、液晶ライトバルブ１２Ｒ，１２Ｇ，１２Ｂで変調して画像光を形成し、この画像光を投写レンズ１３から投写してスクリーンＳＣ等に表示する。
【００２４】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３色である赤色Ｒ、緑色Ｇ、青色Ｂの各色光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から投写される。
【００２６】
制御部２０は、ＣＰＵ（Central Processing Unit）、各種データの一時記憶等に用いられるＲＡＭ、および、マスクＲＯＭやフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００２７】
また、制御部２０は、差分情報算出部３３から画像が静止画となっている旨の所定の通知信号を受信すると、画像処理部３２に対して液晶ライトバルブ１２Ｒ，１２Ｇ，１２Ｂの焼き付き防止のための指示を行う。例えば、画像処理部３２にスクリーンセーバー画面を出力させることができる。なお、焼き付き防止の処理は、スクリーンセーバー画面の出力処理に限定するものではなく、他の処理としてもよい。
【００２８】
操作受付部２１は、ユーザーからの入力操作を受け付けるものであり、ユーザーがプロジェクター１に対して各種指示を行うための複数の操作キーを備えている。操作受付部２１が備える操作キーとしては、電源のオン・オフを切り替えるための電源キー、入力された画像信号を切り替えるための入力切替キー、各種設定を行うためのメニュー画面の表示・非表示を切り替えるメニューキー、メニュー画面におけるカーソルの移動等に用いられるカーソルキー、各種設定を決定するための決定キー等がある。ユーザーが操作受付部２１の各種操作キーを操作（押下）すると、操作受付部２１は、この入力操作を受け付けて、ユーザーの操作内容に応じた操作信号を制御部２０に出力する。なお、操作受付部２１として、遠隔操作が可能なリモコン（図示せず）を用いた構成としてもよい。この場合、リモコンは、ユーザーの操作内容に応じた赤外線等の操作信号を発信し、図示しないリモコン信号受信部がこれを受信して制御部２０に伝達する。
【００２９】
光源制御部２２は、電源回路（図示せず）で生成された直流電流を交流矩形波電流に変換するインバーター（図示せず）や、光源ランプ１１ａの電極間の絶縁破壊を行って、光源ランプ１１ａの始動を促すためのイグナイター（図示せず）等を備えており、制御部２０の指示に基づいて光源１１の点灯を制御する。具体的には、光源制御部２２は、光源１１を始動させて所定の電力を供給することにより光源１１を点灯させるとともに、電力の供給を停止して光源１１を消灯させることができる。また、光源制御部２２は、制御部２０の指示に基づいて光源１１に供給する電力を制御することにより、光源１１の輝度（明るさ）を調整することが可能である。
【００３０】
画像信号入力部３１には、パーソナルコンピューターやビデオ再生装置、メモリーカード、ＵＳＢストレージ、デジタルカメラ等、外部の画像供給装置（図示せず）とケーブルを介した接続を行うための各種の入力端子（図示せず）が備えられており、画像供給装置から画像信号が入力される。画像信号入力部３１は、入力される画像信号を、画像処理部３２で処理可能な形式の画像情報に変換して、画像処理部３２に出力する。
【００３１】
画像処理部３２は、ＲＡＭ等により構成された第１のフレームメモリー３２ａを備えている。そして、画像信号入力部３１から入力される画像情報を、液晶ライトバルブ１２Ｒ，１２Ｇ，１２Ｂの各画素の階調を表す画像情報に変換し、フレーム（画面）単位で第１のフレームメモリー３２ａに記憶する。なお、フレームメモリーに記憶された１画面分の画像情報をフレーム画像と呼ぶ。
【００３２】
ここで、変換された画像情報は、Ｒ、Ｇ、Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。さらに、画像処理部３２は、制御部２０の指示に基づき、変換した画像情報に対して、明るさ、コントラスト、シャープネス、色合い等を調整するための画質調整処理等を行い、第１のフレームメモリー３２ａ内の画像情報を更新する。そして、処理後の画像情報をライトバルブ駆動部１４および差分情報算出部３３に出力する。
【００３３】
差分情報算出部３３は、全画素差分平均値を算出する差分算出処理を行う回路である。差分情報算出部３３は、第２のフレームメモリー３３ａおよび加算値記憶部３３ｂを備えている。なお、本実施形態では、画像処理部３２が備える第１のフレームメモリー３２ａおよび差分情報算出部３３が差分算出回路に相当する。
【００３４】
ここで、差分情報算出部３３について説明する。
図２は、本実施形態に係る差分情報算出部３３の回路構成を示すブロック図である。
図２に示すように、差分情報算出部３３は、第２のフレームメモリー３３ａ、加算値記憶部３３ｂ、差分算出処理部３３ｃ、画素数カウンター３３ｄ、フレーム数カウンター３３ｅ、通知部３３ｆ等を備えて構成されている。
【００３５】
第２のフレームメモリー３３ａは、ＲＡＭ等により構成されたフレームメモリーである。第２のフレームメモリー３３ａには、第１のフレームメモリー３２ａに記憶されていた前回のフレームの画像情報がコピーされて記憶される。第２のフレームメモリー３３ａへの書き込みおよび読み出しは、差分算出処理部３３ｃが行う。
【００３６】
加算値記憶部３３ｂは、ＲＡＭ等により構成された記憶部である。加算値記憶部３３ｂには、第１のフレームメモリー３２ａに記憶された画素の画像情報（画素の画像情報を「画素情報」とも呼ぶ）と、第２のフレームメモリー３３ａに記憶された画素の画像情報との差分の絶対値を、各画素について、過去のｎ−２回分加算して加算差分値として記憶することができる。加算値記憶部３３ｂへの書き込みおよび読み出しは、差分算出処理部３３ｃが行う。
【００３７】
画素数カウンター３３ｄには、画像処理部３２から画像情報に含まれて出力される画素数クロックが入力され、画素数を計測する。本実施形態では、画素数として１画面の画素数Ｎを計測する。例えば、画像情報がＸＧＡである場合には、１画面の画素数Ｎとして、１０２４×７６８画素を計測する。なお、画素数カウンター３３ｄで計測する画素数の設定値を変更可能としてもよい。この場合は、差分情報算出部３３は、画素数計測設定レジスター（図示せず）を備え、ユーザーの操作に基づき、制御部２０からの指示によって画素数計測設定レジスターの設定値を変更する。そして、画素数計測設定レジスターの設定値に基づいて、計測する画素数を変更する。こうすれば、１画面の画素数が異なる画像情報（画像信号）にも対応することが可能になる。
【００３８】
フレーム数カウンター３３ｅには、画像処理部３２から画像情報に含まれて出力される垂直同期信号が入力され、フレーム数（即ち画面の数）を計測する。本実施形態では、フレーム数としてｎフレームを計測する。ここで、ｎが所定の数に相当する。例えば、ｎを３６００フレームとすれば、１秒間に６０フレームの画像表示を行うプロジェクターであれば、６０秒を計測することができる。なお、フレーム数カウンター３３ｅで計測する計測フレーム数の設定値を変更可能としてもよい。この場合は、差分情報算出部３３は、フレーム数計測設定レジスター（図示せず）を備え、ユーザーの操作に基づき、制御部２０からの指示によってフレーム数計測設定レジスターの設定値を変更する。そして、フレーム数計測設定レジスターの設定値に基づいて、計測するフレーム数を変更する。こうすれば、計測するフレーム数を変更することによって、差分算出処理（即ち画像が静止画か否かを判定する処理）の計測時間を変更することが可能になる。
【００３９】
差分算出処理部３３ｃには、画素差分算出部３３ｃ１、差分平均算出部３３ｃ２、全画素算出部３３ｃ３、全画素平均算出部３３ｃ４、閾値記憶部３３ｃ５、比較部３３ｃ６等を備えて構成されている。
【００４０】
画素差分算出部３３ｃ１は、画像処理部３２の第１のフレームメモリー３２ａから入力される画素情報と、第２のフレームメモリー３３ａから入力する画素情報との差分を画素差分値として算出し、差分平均算出部３３ｃ２に出力する。
【００４１】
差分平均算出部３３ｃ２は、入力された画素差分値の絶対値と加算値記憶部３３ｂに記憶された加算差分値とを加算する。計測フレーム数がｎフレームに満たない場合は、加算した値を加算値記憶部３３ｂに記憶する。計測フレーム数がｎフレームになった場合は、加算した値をｎ−１で除算し、画素差分平均値として算出する。
【００４２】
全画素算出部３３ｃ３は、差分平均算出部３３ｃ２にフレーム画像の全画素について画素差分平均値を算出させる。
【００４３】
全画素平均算出部３３ｃ４は、全画素の画素差分平均値を加算して、画素数Ｎで除算して全画素差分平均値を算出する。
【００４４】
閾値記憶部３３ｃ５は、全画素差分平均値と比較するための所定の閾値（以降、単に「閾値」ともいう）が記憶されている不揮発性のメモリーである。所定の閾値は、静止画か否かを判定するための比較値であり、予め実験等で好適な値を決定しておくものとする。また、閾値記憶部３３ｃ５に記憶される閾値は変更可能としてもよい。この場合は、差分情報算出部３３は、閾値設定レジスター（図示せず）を備え、ユーザーの操作に基づいて、制御部２０からの指示によって閾値設定レジスターの設定値を変更する。そして、閾値設定レジスターの設定値に基づいて、閾値を変更する。
【００４５】
比較部３３ｃ６は、全画素平均算出部３３ｃ４が算出した全画素差分平均値と閾値記憶部３３ｃ５に設定されている閾値とを比較し、全画素差分平均値が閾値よりも小さいか否かを判定する。そして、比較部３３ｃ６は、通知部３３ｆに比較結果を通知する。
【００４６】
通知部３３ｆは、所定の通信手段を備え、制御部２０に対して通知を行う。所定の通信手段としては、例えば、ＲＳ−２３２Ｃ等とすることができるが、これに限定するものではない。通知部３３ｆは、比較部３３ｃ６から入力される比較結果に基づき、全画素差分平均値が閾値よりも小さい場合には、制御部２０に対して、画像が静止画である旨を示す所定の通知信号を送信する。
【００４７】
図１に戻り、ライトバルブ駆動部１４が、画像処理部３２から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４８】
次に、プロジェクター１の差分算出処理の概要について説明する。
図３は、差分算出処理の概要の説明図である。
【００４９】
図３では、１番目のフレームＦ１、２番目のフレームＦ２、３番目のフレームＦ３、ｎ−１番目のフレームＦｎ−１、ｎ番目のフレームＦｎが表示されている。そして、差分算出処理では、フレームの所定の画素ｐ１について、各フレーム間での画素差分値、即ち画素情報の差分を算出する。本実施形態では、画素情報の差分は、Ｒ、Ｇ、Ｂの色光別の値の差分の和とする。なお、画素情報の差分は、この算出方法に限定するものではなく、例えば、Ｒ、Ｇ、Ｂの色光の値に基づいて輝度値を算出し、この輝度値の差分を画素情報の差分としてもよい。
【００５０】
図３に示すように、フレームＦ１とフレームＦ２の画素ｐ１における差分（画素差分値）をΔ１とし、フレームＦ２とフレームＦ３の画素ｐ１における差分（画素差分値）をΔ２とし、フレームＦｎ−１とフレームＦｎ−２（図示せず）の画素ｐ１における差分（画素差分値）をΔｎ−２とし、フレームＦｎとフレームＦｎ−１の画素ｐ１における差分（画素差分値）をΔｎ−１とする。
【００５１】
ここで、加算値記憶部３３ｂに記憶される加算差分値Ｓは、図３の式（１）に示すように、Δ１からΔｎ−２までの絶対値を加算した値である。また、画素ｐ１の画素差分平均値Ｐ１は、図３の式（２）に示すように、Δｎ−１の絶対値に加算差分値Ｓを加算し、ｎ−１で除算した値である。このような画素差分平均値Ｐ１をフレームの全ての画素に対して行い、Ｐ１からＰＮまでを算出する。そして、図３の式（３）に示すように、全画素差分平均値Ｃは、画素差分平均値Ｐ１〜ＰＮまでを加算し、画素数Ｎで除算することで算出される。
【００５２】
このように算出した全画素差分平均値Ｃを、閾値記憶部３３ｃ５に記憶された閾値と比較することによって、画像情報が静止画か否かを判定することができる。
【００５３】
次に、プロジェクター１の差分算出回路（第１のフレームメモリー３２ａおよび差分情報算出部３３）が差分算出処理を行う動作について説明する。
図４は、差分算出回路が行う差分算出処理を説明するフローチャートである。
【００５４】
第１のフレームメモリー３２ａに新たな画像情報が入力されると、差分情報算出部３３は、フレーム数カウンター３３ｅで計測している計測フレーム数に１を加算する（ステップＳ１０１）。差分情報算出部３３は、計測フレーム数がｎとなったか否かを判断する（ステップＳ１０２）。
【００５５】
計測フレーム数がｎとなっていない場合（ステップＳ１０２：ＮＯ）、差分情報算出部３３の差分算出処理部３３ｃは、フレーム画像の全ての画素（Ｎ個）について、ステップＳ１０３からステップＳ１０６までの処理を繰り返す（ループ１）（ステップＳ１０３）。まず、差分算出処理部３３ｃの画素差分算出部３３ｃ１は、第１のフレームメモリー３２ａと第２のフレームメモリー３３ａの同一画素について、画素差分値を算出する（ステップＳ１０４）。次に、差分算出処理部３３ｃは、画素差分値の絶対値を加算値記憶部３３ｂに記憶された加算差分値Ｓに加算して、加算値記憶部３３ｂに記憶する（ステップＳ１０５）。そして、ステップＳ１０３に戻る（ステップＳ１０６）。
【００５６】
ループ１が終了したら、差分算出処理部３３ｃは、第１のフレームメモリー３２ａのフレームの画像情報を第２のフレームメモリー３３ａにコピーする（ステップＳ１０７）。そして、差分算出処理を終了する。
【００５７】
計測フレーム数がｎとなった場合（ステップＳ１０２：ＹＥＳ）、差分情報算出部３３の差分算出処理部３３ｃは、フレーム画像の全ての画素（Ｎ個）について、ステップＳ１０８からステップＳ１１２までの処理を繰り返す（ループ２）（ステップＳ１０８）。まず、差分算出処理部３３ｃの画素差分算出部３３ｃ１は、第１のフレームメモリー３２ａと第２のフレームメモリー３３ａの同一画素について、画素差分値を算出する（ステップＳ１０９）。次に、差分算出処理部３３ｃの差分平均算出部３３ｃ２は、画素差分値の絶対値と加算値記憶部３３ｂに記憶された加算差分値Ｓとを加算する（ステップＳ１１０）。そして、差分平均算出部３３ｃ２は、加算した結果をｎ−１で除算して画素差分平均値（Ｐ１〜ＰＮ）を算出する（ステップＳ１１１）。そして、ステップＳ１０８に戻る（ステップＳ１１２）。
【００５８】
ループ２が終了したら、差分算出処理部３３ｃの全画素平均算出部３３ｃ４は、算出した全ての画素（Ｎ個）についての画素差分平均値を合計する（ステップＳ１１３）。そして、全画素平均算出部３３ｃ４は、全ての画素差分平均値の合計を画素数Ｎで除算して、全画素差分平均値Ｃを算出する（ステップＳ１１４）。
【００５９】
差分算出処理部３３ｃの比較部３３ｃ６は、算出した全画素差分平均値Ｃが閾値記憶部３３ｃ５に記憶された閾値よりも小さいか否かを判断する（ステップＳ１１５）。全画素差分平均値Ｃが閾値よりも小さい場合（ステップＳ１１５：ＹＥＳ）、差分算出処理部３３ｃは通知部３３ｆに指示を出して、制御部２０に、画像情報に基づく画像が静止画である旨を示す所定の通知信号を送信させる（ステップＳ１１６）。そして、差分算出処理部３３ｃは、加算値記憶部３３ｂに記憶されている加算差分値Ｓをクリアする（ステップＳ１１７）。さらに、差分情報算出部３３は、フレーム数カウンター３３ｅが計測していた計測フレーム数をクリアする（ステップＳ１１８）。そして、ステップＳ１０７に移行する。
【００６０】
全画素差分平均値Ｃが閾値以上の場合（ステップＳ１１５：ＮＯ）は、ステップＳ１１７に移行する。
【００６１】
上述したように、差分算出回路は、計測フレーム数がｎになるまでは、画素差分値を算出して加算差分値Ｓとして記憶し、計測フレーム数がｎとなった場合には、全画素差分平均値Ｃを算出し、全画素差分平均値Ｃが閾値よりも小さい場合には、制御部２０に対して、フレーム数ｎの間の画像が静止画である旨を示す所定の通知信号を送信する。
【００６２】
上述した実施形態によれば、以下の効果が得られる。
（１）プロジェクター１は、全ての画素について差分の平均（画素差分平均値Ｐ１〜ＰＮ）を算出し、さらに画素差分平均値Ｐ１〜ＰＮの平均を算出して全画素差分平均値Ｃとするため、フレーム画像の特定エリアの画像情報の変化ではなく、画像情報全体の変化を検出することができる。そして、全画素差分平均値Ｃと閾値との比較を行い、画像が静止画と判定された場合には、液晶ライトバルブ１２Ｒ，１２Ｇ，１２Ｂの焼き付き防止処理を行うことができる。
【００６３】
（２）プロジェクター１は、全画素差分平均値Ｃと閾値との比較を行い、画像が静止画か否かを判断する。よって、予め実験等で好適な閾値を定めておくことで、画像に局所的な変化がある場合であっても、静止画と判断することも可能になり、焼き付き防止処理を行うことができる。
【００６４】
（３）プロジェクター１では、差分情報算出部３３は専用回路（ハードウェア）として構成されているため、差分算出処理を高速化することができる。つまり、制御部２０が備えるＣＰＵへの負荷を低減することができる。したがって、ソフトウェアをＣＰＵ上で実行することのできる時間が増大する。このため、同じＣＰＵを用いても、従来より多機能な製品の提供が可能となる。
【００６５】
（４）プロジェクター１では、第１のフレームメモリー３２ａおよび第２のフレームメモリー３３ａは、順次入力される画像信号に基づいた画像情報を順次記憶する。これにより、入力される全ての画像情報に基づいて全画素差分平均値Ｃを算出するため、差分算出処理による静止画の検出精度が向上する。
【００６６】
（５）プロジェクター１は、計測フレーム数がｎフレームになった際に、全画素差分平均値Ｃを算出する。これにより、全画素差分平均値Ｃの算出処理を行う回数が低減されるため、差分情報算出部３３（差分算出回路）の処理負荷が低減される。
【００６７】
（６）プロジェクター１は、加算値記憶部３３ｂを有し、差分情報算出部３３は、加算差分値Ｓを用いて、全画素差分平均値Ｃを算出する。これにより、全画素差分平均値Ｃを算出するためのフレームメモリーの数を低減することができる。
【００６８】
なお、上述した実施形態に限定されず、種々の変更や改良等を加えて実施することが可能である。変形例を以下に述べる。
【００６９】
（変形例１）上記実施形態では、計測フレーム数がｎフレームになるまで画素差分値を加算し、計測フレーム数がｎフレームとなった際に全画素差分平均値Ｃを算出するものとした。そして、このｎフレーム毎の算出処理を繰り返すものとした。しかし、差分情報算出部３３にｎ個のフレームメモリー（または、フレーム画像をｎ個記憶できるフレームメモリー）を備える場合には、ｎ個のフレームメモリーに順次画像情報を入力することにより、画素差分平均値Ｐ１〜ＰＮを画像情報入力毎に算出し、全画素差分平均値Ｃを毎回算出して閾値と比較するものとしてもよい。こうすれば、常時、画像が静止画となっているか否かを判定することが可能となり、判定精度が向上する。
【００７０】
（変形例２）上記実施形態では、差分算出処理は、差分算出回路、即ちハードウェアによって行うものとしたが、差分算出処理部３３ｃで行う差分算出処理をソフトウェアで行ってもよい。また、差分算出回路は、ソフトウェアプログラムが組み込まれたハードウェア（回路）によって構成されていてもよい。
【００７１】
（変形例３）上記実施形態では、比較部３３ｃ６は、全画素差分平均値Ｃが閾値よりも小さいか否かについて判定しているが、閾値を含めて閾値以下か否かについて判定してもよい。
【００７２】
（変形例４）上記実施形態では、比較部３３ｃ６が判定した結果、全画素差分平均値Ｃが閾値以上の場合には、通知部３３ｆは制御部２０に所定の通知信号を送信しないものとしているが、画像が動画である旨を示す通知信号を制御部２０に送信してもよい。
【００７３】
（変形例５）上記実施形態では、算出した全画素差分平均値Ｃをモニター（モニタリング）することはできないが、差分算出回路に全画素差分平均値モニター用レジスター（図示せず）を備えてもよい。こうすれば、全画素差分平均値Ｃをモニターすることが可能になる。
【００７４】
（変形例６）上記実施形態では、第１のフレームメモリー３２ａに入力される画像情報を順次第２のフレームメモリー３３ａにコピーして、差分算出処理を行うものとしたが、第１のフレームメモリー３２ａに入力される画像情報を、所定の回数（フレーム）毎に１回、第２のフレームメモリー３３ａにコピーし、差分算出処理も所定の回数（フレーム）毎に１回行うものとしてもよい。こうすれば、プロジェクター１の処理負荷を低減することができる。
【００７５】
（変形例７）上記実施形態では、差分算出回路を備えるプロジェクター１を例にして説明しているが、プロジェクターに限定するものではない。例えば、透過型のスクリーンを一体的に備えたリアプロジェクター、プラズマディスプレイ、有機ＥＬ（Electro Luminescence）ディスプレイ等に適用することも可能である。
【００７６】
（変形例８）上記実施形態では、光源１１は、放電型の光源ランプ１１ａによって構成されているが、ＬＥＤ（Light Emitting Diode）光源やレーザー等の固体光源や、その他の光源を用いることもできる。
【００７７】
（変形例９）上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。
【符号の説明】
【００７８】
１…プロジェクター、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部、２１…操作受付部、２２…光源制御部、３１…画像信号入力部、３２…画像処理部、３２ａ…第１のフレームメモリー、３３…差分情報算出部、３３ａ…第２のフレームメモリー、３３ｂ…加算値記憶部、３３ｃ…差分算出処理部、３３ｄ…画素数カウンター、３３ｅ…フレーム数カウンター、３３ｆ…通知部、３３ｃ１…画素差分算出部、３３ｃ２…差分平均算出部、３３ｃ３…全画素算出部、３３ｃ４…全画素平均算出部、３３ｃ５…閾値記憶部、３３ｃ６…比較部。
【図１】
2012150262.tif 000003
【図２】
2012150262.tif 000004
【図３】
2012150262.tif 000005
【図４】
2012150262.tif 000006